(57)【要約】【課題】ゲームが行われる領域を狭くしない。【解決手段】チップケース３１は、本体部３２と固定式チップ格納部３４とガイド部３３とを備えている。本体部３２は、テーブルゲームが行われるカジノテーブルに設けられた凹部２３−ｊに嵌合する。固定式チップ格納部３４は、本体部３２に固定され、テーブルゲームに利用されるチップ３７が格納される。ガイド部３３は、本体部３２に固定されている。本体部３２が凹部２３−ｊに嵌合しているときに、本体部３２に形成される開口部３６を介して、カジノテーブルに設けられる手のひら静脈センサ２５−ｊによりプレーヤのうちのガイド部３３により案内される手のひらから手のひら静脈パターンが検出される。【選択図】図５
2019103579.tif 000002
【特許請求の範囲】
【請求項１】
ゲームが行われるゲーム設備に設けられた凹部に嵌合する本体部と、
前記本体部に固定され、前記ゲームに利用されるチップが格納される格納部と、
前記本体部に固定されるガイド部とを備え、
前記本体部が前記凹部に嵌合しているときに、前記本体部に形成される開口部を介して、前記ゲーム設備に設けられるセンサにより生体のうちの前記ガイド部により案内される部位から生体情報が検出される
チップケース。
【請求項２】
前記開口部の径は、前記チップの径より小さく、
前記本体部は、前記本体部が前記凹部に嵌合しているときに、前記チップが前記ガイド部の側から前記開口部を介して前記センサの側にはみ出る長さが前記開口部と前記センサとの間の距離より短くなるように、形成される
請求項１に記載のチップケース。
【請求項３】
前記開口部を閉鎖する窓部をさらに備え、
前記センサは、前記窓部を透過する光を用いて前記生体情報を検出する
請求項１に記載のチップケース。
【請求項４】
前記格納部は、前記本体部が前記凹部に嵌合するときに、前記凹部の外部に配置される
請求項１〜請求項３のいずれか一項に記載のチップケース。
【請求項５】
第１位置または第２位置に配置されるように、移動可能に前記本体部に支持される他の格納部をさらに備え、
前記他の格納部により形成される空間には、前記他の格納部が前記第１位置に配置されるときに前記チップが格納され、前記他の格納部が前記第２位置に配置されるときに前記格納部が格納される
請求項４に記載のチップケース。
【請求項６】
前記第２位置の配置は、前記他の格納部の底面部と前記本体部の底面とが水平状態に位置するように配置される
請求項５に記載のチップケース。
【請求項７】
ゲームが行われるテーブル本体と、
前記ゲームに利用されるチップが格納されるチップケースの一部が嵌合される凹部と、
前記チップケースの一部が前記凹部に嵌合されているときに、生体のうちの前記チップケースにより案内される部位から生体情報を検出するセンサと、
前記生体情報に基づいて取得された可否情報を表示する表示部
とを備えるカジノテーブル。
【発明の詳細な説明】
【技術分野】
【０００１】
本発明は、チップケースおよびカジノテーブルに関する。
【背景技術】
【０００２】
テーブルゲームで利用されるチップを格納するチップ入れが知られている。このようなチップ入れは、テーブルゲームが行われるテーブルに着脱可能である（特許文献１参照）。プレーヤは、チップ入れを利用することにより、テーブル間を容易に移動することができる。
【先行技術文献】
【特許文献】
【０００３】
【特許文献１】実用新案登録第３０３９３６３号公報
【発明の概要】
【発明が解決しようとする課題】
【０００４】
しかしながら、カジノテーブルにおいてプレーヤの本人認証を行う仕組みがないという問題がある。その際、本人認証のための装置をカジノテーブルに単純に導入してしまうと、カジノテーブルにおいてテーブルゲームを行う領域が狭くなるといった別の問題が生ずることとなる。
【０００５】
１つの側面では、本発明は、カジノテーブルのスペースに配慮して、プレーヤの本人認証を可能とするを目的とする。
【課題を解決するための手段】
【０００６】
１つの態様では、チップケースは、ゲームが行われるゲーム設備に設けられた凹部に嵌合する本体部と、前記本体部に固定され、前記ゲームに利用されるチップが格納される格納部と、前記本体部に固定されるガイド部とを備えている。前記本体部が前記凹部に嵌合しているときに、前記本体部に形成される開口部を介して、前記ゲーム設備に設けられるセンサにより生体のうちの前記ガイド部により案内される部位から生体情報が検出される。
【発明の効果】
【０００７】
カジノテーブルのスペースに配慮して、プレーヤの本人認証を行うことができる。
【図面の簡単な説明】
【０００８】
【図１】実施形態のチップケースおよびカジノテーブルが設けられるカジノプレーヤ認証システムを示すブロック図である。
【図２】ゲーム参加可否情報テーブルを示す図である。
【図３】実施例１のカジノテーブルを示す上面図である。
【図４】実施例１のカジノテーブルを示す断面図である。
【図５】実施例１のチップケースを示す断面図である。
【図６】可動式チップ格納部が第２位置に配置されているときの実施例１のチップケースを示す断面図である。
【図７】実施例１のチップケースを示す上面図である。
【図８】実施例１のチップケースを示す斜視図である。
【図９】本体部のうちの開口部の周辺を示す断面図である。
【図１０】実施例１のカジノテーブルを示すブロック図である。
【図１１】カジノプレーヤ認証システムの動作を示すシーケンス図である。
【図１２】実施例２のチップケースを示す断面図である。
【図１３】実施例３のチップケースとカジノテーブルとを示す断面図である。
【発明を実施するための形態】
【０００９】
以下に、本願の実施形態にかかるチップケースおよびカジノテーブルについて、図面を参照して説明する。なお、以下の記載により本願の技術が限定されるものではない。また、以下の記載においては、同一の構成要素に同一の符号を付与し、重複する説明を省略する。
【実施例１】
【００１０】
図１は、実施形態のチップケースおよびカジノテーブルが設けられるカジノプレーヤ認証システム１を示すブロック図である。カジノプレーヤ認証システム１は、図１に示されているように、カジノプレーヤ認証サーバ２と複数のカジノテーブル３−１〜３−ｎ（ｎ＝２，３，４，…）とを備えている。複数のカジノテーブル３−１〜３−ｎのうちの任意のカジノテーブル３−ｉ（ｉ＝１，２，３，…，ｎ）は、通信回線網５を介して双方向に情報伝達可能にカジノプレーヤ認証サーバ２に接続されている。
【００１１】
カジノプレーヤ認証サーバ２は、いわゆるコンピュータから形成され、たとえば、図示されていないＣＰＵ（Ｃｅｎｔｒａｌ  Ｐｒｏｃｅｓｓｉｎｇ  Ｕｎｉｔ）と記憶装置とを備えている。ＣＰＵは、カジノプレーヤ認証サーバ２にインストールされるコンピュータプログラムを実行することにより情報処理する。記憶装置は、コンピュータプログラムを記録し、ＣＰＵにより利用される情報を記録する。記憶装置は、さらに、ゲーム参加可否情報テーブル６を記録している。
【００１２】
図２は、ゲーム参加可否情報テーブル６を示す図である。ゲーム参加可否情報テーブル６は、図２に示されているように、複数のプレーヤ識別情報１１を複数の手のひら静脈パターン１２と複数のゲーム参加可否情報１４とに対応付けている。複数のプレーヤ識別情報１１は、それぞれ、カジノで行われるカジノゲームに参加する複数のプレーヤを識別し、複数のプレーヤ識別情報１１の各々は、その複数のプレーヤのうちの一人のプレーヤを示している。複数の手のひら静脈パターン１２のうちのあるプレーヤ識別情報に対応する１つの手のひら静脈パターンは、そのプレーヤ識別情報が示すプレーヤの手のひらの皮下組織にある静脈の形状に関する情報を示している。複数のゲーム参加可否情報１４は、それぞれ、「ゲーム参加可能」または「ゲーム参加不可」のいずれかを示している。
【００１３】
カジノプレーヤ認証サーバ２は、カジノテーブル３−ｉから手のひら静脈パターンを受信したときに、ゲーム参加可否情報テーブル６を参照して、その受信した手のひら静脈パターンが複数の手のひら静脈パターン１２に含まれているかどうかを検索する。カジノプレーヤ認証サーバ２は、カジノテーブル３−ｉから受信した手のひら静脈パターンが複数の手のひら静脈パターン１２に含まれているときに、複数のプレーヤ識別情報１１からその手のひら静脈パターンに対応するプレーヤ識別情報を検索する。カジノプレーヤ認証サーバ２は、さらに、複数のゲーム参加可否情報１４からその検索されたプレーヤ識別情報に対応するゲーム参加可否情報を検索する。カジノプレーヤ認証サーバ２は、さらに、その検索されたゲーム参加可否情報をカジノテーブル３−ｉに返信する。カジノプレーヤ認証サーバ２は、その受信した手のひら静脈パターンが複数の手のひら静脈パターン１２に含まれていないときに、「ゲーム参加可否不明」を示すゲーム参加可否情報をカジノテーブル３−ｉに返信する。
【００１４】
［カジノテーブル］
図３は、実施例１のカジノテーブル３−ｉを示す上面図である。カジノテーブル３−ｉは、図３に示されているように、テーブル本体２１とアームレスト２２と複数の凹部２３−１〜２３−ｍ（ｍ＝２，３，４，…）と複数の表示部６３−１〜６３−ｍを備えている。テーブル本体２１は、テーブル上面２４が形成されている。テーブル上面２４は、平坦に形成され、カジノテーブル３−ｉが設置される設置面に平行である平面に沿うように配置されている。テーブル上面２４では、チップが利用されるテーブルゲームが行われる。テーブルゲームとしては、カードゲーム、ルーレットが例示される。カードゲームは、トランプを利用するゲームであり、ポーカー、ブラックジャック、バカラが例示される。アームレスト２２は、テーブル上面２４を形成する材料より軟らかい材料から形成され、テーブル上面２４の縁を囲むように配置されている。アームレスト２２は、カジノテーブル３−ｉで行われるテーブルゲームに参加するプレーヤが腕、手、肘などを乗せることに利用される。複数の凹部２３−１〜２３−ｍは、概ね等間隔に離れるようにアームレスト２２の上面に配置されている。複数の表示部６３−１〜６３−ｍは、複数の凹部２３−１〜２３−ｍの左側に配置するが、複数の凹部２３−１〜２３−ｍに１対１に対応し、その対応が判る範囲の近傍に配置されれば特に配置は限定しない。
【００１５】
図４は、実施例１のカジノテーブル３−ｉを示す断面図である。複数の凹部２３−１〜２３−ｍのうちの任意の凹部２３−ｊ（ｊ＝１，２，３，…，ｍ）は、図４に示されているように、窪み２６が椀状に形成されている。カジノテーブル３−ｉは、手のひら静脈センサ２５−ｊをさらに備えている。手のひら静脈センサ２５−ｊは、窪み２６の底に配置されている。
【００１６】
カジノテーブル３−ｉは、複数のチップケースをさらに備えている。図５は、実施例１のチップケース３１を示す断面図である。チップケース３１は、図５に示されているように、本体部３２とガイド部３３と固定式チップ格納部３４と可動式チップ格納部３５とを備えている。本体部３２は、椀状に形成されている。本体部３２は、凹部２３−ｊに形成される窪み２６の内部に入ることにより、凹部２３−ｊに嵌合する。チップケース３１は、本体部３２が凹部２３−ｊに嵌合することにより、カジノテーブル３−ｉに取り付けられ、カジノテーブル３−ｉに固定される。本体部３２は、開口部３６が形成されている。開口部３６は、本体部３２が凹部２３−ｊに適切に嵌合するときに、手のひら静脈センサ２５−ｊの近傍に配置されるように、本体部３２の底に形成されている。
【００１７】
ガイド部３３は、概ね環状に形成され、本体部３２の縁に沿うように配置され、本体部３２に固定されている。固定式チップ格納部３４は、容器状に形成されている。固定式チップ格納部３４は、本体部３２の縁の一部に沿うように配置され、本体部３２に固定されている。固定式チップ格納部３４は、本体部３２が凹部２３−ｊに嵌合するときに、凹部２３−ｊに形成される窪み２６の外部に配置され、カジノテーブル３−ｉから外側に突出する。固定式チップ格納部３４は、本体部３２が凹部２３−ｊに嵌合するときに、テーブルゲームで利用されるチップ３７を内部に格納することができる。
【００１８】
可動式チップ格納部３５は、容器状に形成されている。可動式チップ格納部３５は、本体部３２が凹部２３−ｊに嵌合するときに、固定式チップ格納部３４と同様にして、凹部２３−ｊの窪み２６の外部に配置され、カジノテーブル３−ｉから外側に突出する。可動式チップ格納部３５は、第１位置または第２位置に配置されるように、上下方向３８に移動可能に本体部３２に支持されている。上下方向３８は、本体部３２が凹部２３−ｊに適切に嵌合するときに、テーブル上面２４が沿う平面に垂直である。可動式チップ格納部３５は、上下方向３８のうちの下側に向かって移動されることにより、第１位置に配置される。可動式チップ格納部３５は、第１位置に配置されているときに、図５に示されているように、固定式チップ格納部３４から離れ、内部にチップ３７が格納されることができる。
【００１９】
図６は、可動式チップ格納部３５が第２位置に配置されているときの実施例１のチップケース３１を示す断面図である。可動式チップ格納部３５は、上下方向３８のうちの上側に向かって移動されることにより、第２位置に配置される。固定式チップ格納部３４は、可動式チップ格納部３５が第２位置に配置されているときに、図６に示されているように、可動式チップ格納部３５の内部に配置される。このため、チップケース３１は、可動式チップ格納部３５が第２位置に配置されているときに、可動式チップ格納部３５の内部にチップ３７が格納されないが、可動式チップ格納部３５が第１位置に配置されているときに比較して、よりコンパクトである。
なお、第２位置の配置は、可動式チップ格納部３５の底面と本体部３２の底面とが水平状態になるように構成される。
【００２０】
図７は、実施例１のチップケース３１を示す上面図である。図８は、実施例１のチップケース３１を示す斜視図である。ガイド部３３は、図７に示されているように、手首ガイド部４１と指ガイド部４２と左側ウイング部４３と右側ウイング部４４とを備えている。手首ガイド部４１は、図８に示されているように、刺股形状に形成され、固定式チップ格納部３４に近い側に配置されている。手首ガイド部４１は、プレーヤの手のひらがガイド部３３に乗せられたときに、手首ガイド部４１により形成される刺股にプレーヤの手首が挟まれるように形成されている。
【００２１】
指ガイド部４２は、２つの突起から形成され、固定式チップ格納部３４から遠い側に配置されている。指ガイド部４２は、プレーヤの手のひらがガイド部３３に乗せられたときに、一方の突起が人差し指と中指との間に配置され、他方の突起が中指と薬指との間に配置されるように形成されている。左側ウイング部４３と右側ウイング部４４とは、それぞれ、手首ガイド部４１と指ガイド部４２との間に配置され、左側ウイング部４３と右側ウイング部４４との間に本体部３２が配置されるように、配置されている。左側ウイング部４３は、プレーヤの手のひらがガイド部３３に乗せられたときに、親指または小指が乗せられるように形成されている。右側ウイング部４４は、プレーヤの手のひらがガイド部３３に乗せられたときに、親指または小指が乗せられるように形成されている。
【００２２】
ガイド部３３は、このように形成されることにより、本体部３２が凹部２３−ｊに適切に嵌合している場合で、プレーヤの手のひらがガイド部３３に適切に乗せられたときに、手のひら静脈センサ２５−ｊに対する所定の位置にその手のひらを案内することができる。すなわち、ガイド部３３は、手のひらがガイド部３３に適切に乗せられたときに、手のひら静脈センサ２５−ｊと手のひらとの間の距離が所定の距離になるように、手のひらを配置することができる。ガイド部３３は、手のひらがガイド部３３に適切に乗せられたときに、手首ガイド部４１がプレーヤの手首を挟むことにより、手首の位置のずれを防止することができる。ガイド部３３は、手のひらがガイド部３３に適切に乗せられたときに、指ガイド部４２の一方の突起が人差し指と中指との間に配置され、指ガイド部４２の他方の突起が中指と薬指との間に配置されることにより、指を軽く開かせ、指が閉じられることを防止する。ガイド部３３は、手のひらがガイド部３３に適切に乗せられたときに、左側ウイング部４３と右側ウイング部４４とに親指と小指とが乗せられることにより、親指と小指とが垂れ下がることを防止する。
【００２３】
図９は、本体部３２のうちの開口部３６の周辺を示す断面図である。開口部３６は、図９に示されているように、開口部３６の径５１がチップ３７の径５３より大きくなるように、形成されている。チップ３７は、径５３が開口部３６の径５１より大きいことにより、開口部３６を介して本体部３２の内部から外部に通過することができない。開口部３６の径５１は、さらに、チップ３７が開口部３６を介して本体部３２の外側にはみ出る長さ５５が所定の距離５６より短くなるように、設計されている。所定の距離５６は、本体部３２が凹部２３−ｊに適切に嵌合しているときに、開口部３６と手のひら静脈センサ２５−ｊとの間の距離に等しい。チップ３７は、長さ５５が所定の距離５６より短いことにより、本体部３２の内部に入ったときに、開口部３６を介して手のひら静脈センサ２５−ｊに接触することが防止される。手のひら静脈センサ２５−ｊは、本体部３２が凹部２３−ｊに適切に嵌合しているときに、チップ３７と接触しないことにより、チップ３７により傷がつくことが防止されている。
【００２４】
図１０は、実施例１のカジノテーブル３−ｉを示すブロック図である。カジノテーブル３−ｉは、図１０に示されているように、複数の手のひら静脈センサ２５−１〜２５−ｍと通信部６１と入力部６２と複数の表示部６３−１〜６３−ｍとコントローラ６４とを備えている。複数の手のひら静脈センサ２５−１〜２５−ｍは、複数の凹部２３−１〜２３−ｍに対応している。複数の手のひら静脈センサ２５−１〜２５−ｍのうちの凹部２３−ｊに対応する手のひら静脈センサ２５−ｊは、凹部２３−ｊが形成する窪み２６の底部に配置されている（図４、５参照）。手のひら静脈センサ２５−ｊは、コントローラ６４に制御されることにより、近赤外線光を発光し、手のひら静脈センサ２５−ｊに対して所定の位置に配置されている手のひらから手のひら静脈パターンを検出する。通信部６１は、コントローラ６４に制御されることにより、通信回線網５を介してカジノプレーヤ認証サーバ２に情報を送信し、通信回線網５を介してカジノプレーヤ認証サーバ２から情報を受信する。入力部６２は、ユーザ（例えばディーラ）に操作されることにより情報を生成し、その生成された情報をコントローラ６４に出力する。表示部６３−ｊは、表示面が設けられているディスプレイから形成され、コントローラ６４に制御されることにより、コントローラ６４により生成された画面を表示面に表示する。
【００２５】
コントローラ６４は、コンピュータであり、たとえば、図示されていないＣＰＵ（Ｃｅｎｔｒａｌ  Ｐｒｏｃｅｓｓｉｎｇ  Ｕｎｉｔ）と記憶装置とを備えている。ＣＰＵは、コントローラ６４にインストールされるコンピュータプログラムを実行することにより、情報処理し、複数の手のひら静脈センサ２５−１〜２５−ｍと通信部６１と入力部６２と複数の表示部６３−１〜６３−ｍとを制御する。記憶装置は、コンピュータプログラムを記録し、ＣＰＵにより利用される情報を記録する。
【００２６】
コントローラ６４は、ディーラが入力部６２を操作することにより複数の手のひら静脈センサ２５−１〜２５−ｍから１つの手のひら静脈センサ２５−ｊが選択されるように、入力部６２を制御する。コントローラ６４は、入力部６２により手のひら静脈センサ２５−ｊが選択されたときに、近赤外線光が発光され、手のひら静脈パターンが検出されるように、手のひら静脈センサ２５−ｊを制御する。コントローラ６４は、手のひら静脈センサ２５−ｊにより手のひら静脈パターンが検出されたときに、その検出された手のひら静脈パターンが通信回線網５を介してカジノプレーヤ認証サーバ２に送信されるように、通信部６１を制御する。コントローラ６４は、さらに、通信回線網５を介してカジノプレーヤ認証サーバ２から返信されたゲーム参加可否情報が受信されるように、通信部６１を制御する。
【００２７】
コントローラ６４は、カジノプレーヤ認証サーバ２からゲーム参加可否情報が受信されたときに、その受信されたゲーム参加可否情報に基づいて画面を作成する。その画面は、複数の手のひら静脈センサ２５−１〜２５−ｍに対応する複数のゲーム参加可否情報を示している。複数のゲーム参加可否情報のうちの手のひら静脈センサ２５−ｊに対応するゲーム参加可否情報は、手のひら静脈センサ２５−ｊにより検出された手のひら静脈パターンに対してカジノプレーヤ認証サーバ２から返信されたゲーム参加可否情報を示している。コントローラ６４は、その作成された画面が表示面に表示されるように、表示部６３−ｊを制御する。
【００２８】
［カジノプレーヤ認証システム１の動作］
図１１は、カジノプレーヤ認証システム１の動作を示すシーケンス図である。プレーヤは、チップケース３１の固定式チップ格納部３４または可動式チップ格納部３５にチップ３７を格納し、チップケース３１とともにチップ３７を携帯する。プレーヤは、カジノテーブル３−ｉで行われるテーブルゲームに参加するときに、まず、複数の凹部２３−１〜２３−ｍのうちの１つの凹部２３−ｊにチップケース３１の本体部３２を嵌合させる。プレーヤは、チップケース３１の本体部３２が凹部２３−ｊに適切に嵌合した後に、チップケース３１のガイド部３３に手のひらを乗せる。
【００２９】
ディーラは、チップケース３１のガイド部３３にプレーヤの手のひらが適切に乗せられているときに、カジノテーブル３−ｉの入力部６２を操作することにより、複数の手のひら静脈センサ２５−１〜２５−ｍから１つの手のひら静脈センサ２５−ｊを選択する。その選択された手のひら静脈センサ２５−ｊは、プレーヤが手のひらを乗せているチップケース３１の本体部３２が嵌合している凹部２３−ｊの底に配置されているものである。コントローラ６４は、入力部６２の操作により１つの手のひら静脈センサ２５−ｊが選択されると、その選択された手のひら静脈センサ２５−ｊを制御することにより、プレーヤの手のひらから手のひら静脈パターンを検出する（ステップＳ１）。コントローラ６４は、手のひら静脈パターンが検出された後に、通信部６１を制御することにより、手のひら静脈センサ２５−ｊにより検出された手のひら静脈パターンをカジノプレーヤ認証サーバ２に送信する（ステップＳ２）。
【００３０】
カジノプレーヤ認証サーバ２は、カジノテーブル３−ｉから手のひら静脈パターンを受信したときに、ゲーム参加可否情報テーブル６を参照して、その受信した手のひら静脈パターンが複数の手のひら静脈パターン１２に含まれているかどうかを検索する。カジノプレーヤ認証サーバ２は、カジノテーブル３−ｉから受信した手のひら静脈パターンが複数の手のひら静脈パターン１２に含まれているときに、複数のプレーヤ識別情報１１からその手のひら静脈パターンに対応するプレーヤ識別情報を検索する。カジノプレーヤ認証サーバ２は、さらに、複数のゲーム参加可否情報１４からその検索されたプレーヤ識別情報に対応するゲーム参加可否情報を検索する（ステップＳ３）。
【００３１】
カジノプレーヤ認証サーバ２は、さらに、その検索されたゲーム参加可否情報をカジノテーブル３−ｉに返信する（ステップＳ４）。カジノプレーヤ認証サーバ２は、その受信した手のひら静脈パターンが複数の手のひら静脈パターン１２に含まれていないときに、「ゲーム参加可否不明」を示すゲーム参加可否情報をカジノテーブル３−ｉに返信する。
【００３２】
カジノテーブル３−ｉのコントローラ６４は、カジノプレーヤ認証サーバ２からゲーム参加可否情報が返信されると、その受信したゲーム参加可否情報に基づいて画面を作成する。その作成された画面は、複数の手のひら静脈センサ２５−１〜２５−ｍに対応する複数のゲーム参加可否情報を示している。コントローラ６４は、表示部６３−ｊを制御することにより、その作成された画面を表示面に表示する（ステップＳ５）。複数のゲーム参加可否情報のうちの手のひら静脈センサ２５−ｊに対応する１つのゲーム参加可否情報は、手のひら静脈センサ２５−ｊにより検出された手のひら静脈パターンに対してカジノプレーヤ認証サーバ２から返信されたゲーム参加可否情報を示している。
【００３３】
ディーラは、手のひら静脈センサ２５−ｊに対応するゲーム参加可否情報が「ゲーム参加可能」を示すときに、手のひら静脈センサ２５−ｊにより手のひら静脈パターンが検出されたプレーヤのテーブルゲームの参加を許可する。ディーラは、手のひら静脈センサ２５−ｊに対応するゲーム参加可否情報が「ゲーム参加不可」を示すときに、手のひら静脈センサ２５−ｊにより手のひら静脈パターンが検出されたプレーヤのテーブルゲームの参加を拒絶する。ディーラは、手のひら静脈センサ２５−ｊに対応するゲーム参加可否情報が「ゲーム参加可否不明」を示すときに、手のひら静脈センサ２５−ｊにより手のひら静脈パターンが検出されたプレーヤに会員登録を促す。プレーヤは、ディーラにテーブルゲームの参加を許可されたときにのみ、カジノテーブル３−ｉで行われるテーブルゲームに参加することができる。
なお、ゲーム参加可否情報が「ゲーム参加不可」を示す条件として、プレーヤのゲーム参加回数をカウントし（図示省略）、プレーヤ毎に閾値を設け（図示省略）、閾値を超えた場合に「ゲーム参加不可」とするようにしても良い。
【００３４】
このような動作によれば、カジノプレーヤ認証システム１は、ゲーム参加可否情報テーブル６が適切に作成されることにより、複数のプレーヤの各々のテーブルゲームの参加の可否を設定することができる。たとえば、カジノプレーヤ認証システム１は、特定のプレーヤがテーブルゲームに参加することを防止することができる。その特定のプレーヤとしては、ギャンブル依存症である個人が例示される。
【００３５】
ところで、カジノプレーヤ認証システム１は、ゲーム参加可否情報テーブル６を利用して複数のプレーヤの各々のテーブルゲームの参加の可否を設定しているが、ゲーム参加可否情報テーブル６と異なるデータを利用してもよい。このようなデータとしては、複数の手のひら静脈パターンが列挙されたブラックリストまたはホワイトリストが例示される。
【００３６】
たとえば、カジノプレーヤ認証サーバ２は、ブラックリストを記録しているときに、カジノテーブル３−ｉから受信した手のひら静脈パターンがブラックリストに含まれているかどうかに基づいて生成されたゲーム参加可否情報をカジノテーブル３−ｉに返信する。このとき、ゲーム参加可否情報は、手のひら静脈パターンがブラックリストに含まれているときに「ゲーム参加不可」を示し、手のひら静脈パターンがブラックリストに含まれていないときに「ゲーム参加可能」を示している。このような場合も、カジノプレーヤ認証システム１は、ブラックリストが適切に作成されることにより、複数のプレーヤの各々のテーブルゲームの参加の可否を設定することができる。
【００３７】
たとえば、カジノプレーヤ認証サーバ２は、ホワイトリストを記録しているときに、カジノテーブル３−ｉから受信した手のひら静脈パターンがホワイトリストに含まれているかどうかに基づいて生成されたゲーム参加可否情報をカジノテーブル３−ｉに返信する。このとき、ゲーム参加可否情報は、手のひら静脈パターンがホワイトリストに含まれているときに「ゲーム参加可能」を示し、手のひら静脈パターンがホワイトリストに含まれていないときに「ゲーム参加不可」を示している。このような場合も、カジノプレーヤ認証システム１は、ホワイトリストが適切に作成されることにより、複数のプレーヤの各々のテーブルゲームの参加の可否を設定することができる。
【００３８】
［実施例１のチップケース３１の効果］
実施例１のチップケース３１は、本体部３２と固定式チップ格納部３４とガイド部３３とを備えている。本体部３２は、テーブルゲームが行われるカジノテーブル３−ｉに設けられた凹部２３−ｊに嵌合する。固定式チップ格納部３４は、本体部３２に固定され、テーブルゲームに利用されるチップ３７が格納される。ガイド部３３は、本体部３２に固定されている。本体部３２が凹部２３−ｊに嵌合しているときに、本体部３２に形成される開口部３６を介して、カジノテーブル３−ｉに設けられる手のひら静脈センサ２５−ｊによりガイド部３３により案内されるプレーヤの手のひらから手のひら静脈パターンが検出される。
【００３９】
このようなチップケース３１は、手のひらを案内することとチップ３７を格納することとに兼用されることにより、凹部２３−ｊと手のひら静脈センサ２５−ｊとを一カ所にまとめて配置することができる。チップケース３１は、カジノテーブル３−ｉに凹部２３−ｊと手のひら静脈センサ２５−ｊとが一カ所にまとめて配置されることにより、カジノテーブル３−ｉのうちのテーブルゲームが行われる領域を狭くさせないことができる。カジノテーブル３−ｉは、ガイド部３３がチップケース３１とともにカジノテーブル３−ｉから取り外されることにより、カジノテーブル３−ｉの清掃を容易にすることができる。
【００４０】
また、実施例１のチップケース３１の開口部３６の径５１は、チップ３７の径５３より小さい。本体部３２は、凹部２３−ｊに嵌合しているときに、チップ３７がガイド部３３の側から開口部３６を介して手のひら静脈センサ２５−ｊの側にはみ出る長さ５５が開口部３６と手のひら静脈センサ２５−ｊとの間の距離５６より短くなるように、形成されている。このようなチップケース３１は、本体部３２が凹部２３−ｊに嵌合しているときに、本体部３２の内部に配置されるチップ３７が手のひら静脈センサ２５−ｊに接触することを防止することができる。チップケース３１は、チップ３７が手のひら静脈センサ２５−ｊに接触することを防止することにより、手のひら静脈センサ２５−ｊがチップ３７により傷つくことを防止することができる。
【００４１】
また、実施例１のチップケース３１の固定式チップ格納部３４は、本体部３２が凹部２３−ｊに嵌合するときに、凹部２３−ｊの窪み２６の外部に配置され、カジノテーブル３−ｉの外側に突出している。このようなチップケース３１は、本体部３２と固定式チップ格納部３４との両方がカジノテーブル３−ｉの凹部２３−ｊの窪み２６の内部に配置されないことにより、凹部２３−ｊを小さく形成することができる。カジノテーブル３−ｉは、凹部２３−ｊが小さく形成されることにより、コンパクトに形成されることができ、または、テーブルゲームが行われる領域を狭くさせないことができる。
【００４２】
また、実施例１のチップケース３１は、移動可能に本体部３２に支持される可動式チップ格納部３５をさらに備えている。可動式チップ格納部３５の内部空間には、可動式チップ格納部３５が第１位置に配置されるときにチップ３７が格納され、可動式チップ格納部３５が第２位置に配置されるときに固定式チップ格納部３４が格納される。このようなチップケース３１は、可動式チップ格納部３５が第１位置に配置されることにより、より多くのチップを格納することができ、可動式チップ格納部３５が第２位置に配置されることにより、よりコンパクトに形成されることができる。
【００４３】
実施例１のカジノテーブル３−ｉは、テーブル本体２１と凹部２３−ｊと手のひら静脈センサ２５−ｊと表示部６３−ｊとを備えている。テーブル本体２１では、テーブルゲームが行われる。凹部２３−ｊは、テーブルゲームに利用されるチップ３７が格納されるチップケース３１の本体部３２が嵌合される。手のひら静脈センサ２５−ｊは、チップケース３１の本体部３２が凹部２３−ｊに嵌合されているときに、チップケース３１のガイド部３３により案内されるプレーヤの手のひらから手のひら静脈パターンを検出する。表示部６３−ｊは、手のひら静脈パターンに基づいて取得されたゲーム参加可否情報を表示する。
【００４４】
このようなカジノテーブル３−ｉによれば、ディーラは、表示部６３−ｊに表示されたゲーム参加可否情報に基づいてプレーヤのテーブルゲームへの参加を許可したり拒絶したりすることができる。カジノテーブル３−ｉは、チップケース３１が手のひらを案内することとチップ３７を格納することとに兼用されることにより、狭くならずに利用できる。カジノテーブル３−ｉは、ガイド部３３がチップケース３１とともにカジノテーブル３−ｉから取り外されることにより、凹凸が少ない。カジノテーブル３−ｉは、ガイド部３３がチップケース３１とともに取り外されることにより、表面に形成される凹凸が低減され、清掃を容易にすることができる。
【００４５】
ところで、実施例１のカジノテーブル３−ｉの複数の凹部２３−１〜２３−ｍは、アームレスト２２に設けられているが、カジノテーブル３−ｉのうちのアームレスト２２以外の領域に設けられてもよい。複数の凹部２３−１〜２３−ｍは、たとえば、テーブル上面２４に設けられてもよい。カジノテーブル３−ｉは、複数の凹部２３−１〜２３−ｍがアームレスト２２以外の領域に設けられた場合でも、手のひらを案内することとチップ３７を格納することとにチップケース３１が兼用されることにより、狭くならずに利用できる。カジノテーブル３−ｉは、複数の凹部２３−１〜２３−ｍがアームレスト２２以外の領域に設けられた場合でも、ガイド部３３がチップケース３１とともに取り外されることにより、表面に形成される凹凸が低減され、清掃を容易にすることができる。
【００４６】
ところで、実施例１のカジノテーブル３−ｉの表示部６３−ｊは、画面が表示されるディスプレイから形成されているが、画面を用いないで複数の手のひら静脈センサ２５−１〜２５−ｍに対応する複数のゲーム参加可否情報を表示する他の表示部に置換されてもよい。その表示部としては、複数の手のひら静脈センサ２５−１〜２５−ｍに対応する複数のランプが例示される。複数のランプのうちの手のひら静脈センサ２５−ｊに対応するランプは、手のひら静脈センサ２５−ｊに対応するゲーム参加可否情報が「ゲーム参加不可」を示すときに赤色の光を発し、そのゲーム参加可否情報が「ゲーム参加可能」を示すときに緑色の光を発する。このような表示部が設けられた場合でも、ディーラは、プレーヤのテーブルゲームへの参加を適切に許可したり拒絶したりすることができる。
【実施例２】
【００４７】
図１２は、実施例２のチップケース７１を示す断面図である。実施例２のチップケース７１は、図１２に示されているように、既述の実施例１のチップケース３１に窓部７２が追加されている。窓部７２は、近赤外線光が透過する材料から形成され、板状に形成されている。窓部７２は、開口部３６を閉鎖するように配置され、本体部３２に固定されている。このとき、手のひら静脈センサ２５−ｊは、チップケース７１の本体部３２が凹部２３−ｊに適切に嵌合しているときに、窓部７２を透過する光を用いて、ガイド部３３に案内される手のひらから手のひら静脈パターンを検出する。
【００４８】
［実施例２のチップケースの効果］
実施例２のチップケース７１は、開口部３６を閉鎖する窓部７２をさらに備えている。このとき、手のひら静脈センサ２５−ｊは、窓部７２を透過する光を用いて、ガイド部３３に案内される手のひらから手のひら静脈パターンを検出する。このようなチップケース７１は、開口部３６が窓部７２により閉鎖されていることにより、本体部３２が凹部２３−ｊに嵌合するときに、本体部３２に入った異物が開口部３６を介して手のひら静脈センサ２５−ｊに接触することを防止することができる。チップケース７１は、開口部３６が窓部７２により閉鎖されていることにより、本体部３２に液体が入った場合でも、その液体が開口部３６を介して手のひら静脈センサ２５−ｊに接触することを防止することができる。
【実施例３】
【００４９】
図１３は、実施例３のチップケース８１とカジノテーブル８２とを示す断面図である。実施例３のチップケース８１は、図１３に示されているように、既述の実施例１のチップケース３１から可動式チップ格納部３５が省略されている。チップケース８１も、手のひらを案内することとチップ３７を格納することとに兼用されることにより、チップケース３１またはチップケース７１と同様にして、カジノテーブル３−ｉを狭くならずに利用できる。チップケース８１も、ガイド部３３とともにカジノテーブル３−ｉから取り外されることにより、チップケース３１またはチップケース７１と同様にして、カジノテーブル３−ｉの清掃を容易にすることができる。チップケース８１は、さらに、可動部がないことにより、チップケース３１またはチップケース７１に比較して、部品点数が少なく、より安価に容易に作製されることができる。
【００５０】
既述のチップケース３１とチップケース７１とは、固定式チップ格納部３４と可動式チップ格納部３５との両方にチップ３７を格納可能であることにより、チップケース８１に比較して、より多くのチップ３７を格納することができる。
【００５１】
実施例３のカジノテーブル８２は、既述の実施例１のカジノテーブル３−ｉの凹部２３−ｊが他の凹部８３−ｊに置換されている。凹部８３−ｊは、凹部８３−ｊにより形成される窪み８４にチップケース８１の本体部３２と固定式チップ格納部３４との両方が入るように、既述の実施例１のカジノテーブル３−ｉの凹部２３−ｊより大きく形成されている。本体部３２は、凹部８３−ｊに形成される窪み８４の内部に固定式チップ格納部３４とともに入ることにより、凹部２３−ｊに嵌合する。
【００５２】
チップケース８１は、固定式チップ格納部３４とともに本体部３２が窪み８４に入ることにより本体部３２が凹部８３−ｊに嵌合する場合でも、手のひらを案内することとチップ３７を格納することとに兼用されることができる。カジノテーブル８２は、手のひらを案内することとチップ３７を格納することとにチップケース８１が兼用される。カジノテーブル８２は、ガイド部３３がチップケース８１とともにカジノテーブル８２から取り外されることにより、凹凸を低減し、清掃を容易にすることができる。
【００５３】
既述の実施例１のカジノテーブル３−ｉは、凹部２３−ｊが実施例３のカジノテーブル８２の凹部８３−ｊより小さいことにより、実施例３のカジノテーブル８２に比較して、テーブルゲームに利用される領域をより広くすることができる。
【００５４】
ところで、既述のチップケース３１、７１、８１は、本体部３２の外部に固定式チップ格納部３４が配置されているが、固定式チップ格納部３４が本体部３２の内部に配置されてもよい。このとき、固定式チップ格納部３４は、手のひら静脈センサ２５−ｊが手のひら静脈パターンを検出する邪魔にならないように、配置されている。プレーヤは、固定式チップ格納部３４に格納されるチップ３７が手のひら静脈センサ２５−ｊの邪魔になる場合に、固定式チップ格納部３４からテーブル上面２４に例示される他の場所にチップ３７を移動させた後に、手のひらをガイド部３３に乗せる。固定式チップ格納部３４が本体部３２の内部に配置されているチップケースも、手のひらを案内することとチップ３７を格納することとに兼用されることにより、既述のチップケース３１、７１、８１と同様にして、カジノテーブルを狭くせずに利用できる。固定式チップ格納部３４が本体部３２の内部に配置されているチップケースも、ガイド部３３とともにカジノテーブルから取り外されることにより、既述のチップケース３１、７１、８１と同様にして、カジノテーブルの清掃を容易にすることができる。
【００５５】
ところで、既述のコントローラ６４は、カジノプレーヤ認証サーバ２からプレーヤのゲーム参加可否情報を取得しているが、カジノプレーヤ認証サーバ２を利用しないでゲーム参加可否情報を取得してもよい。たとえば、コントローラ６４は、既述のカジノプレーヤ認証サーバ２と同様にして、ゲーム参加可否情報テーブル６を記録し、手のひら静脈センサ２５−ｊにより検出された手のひら静脈パターンに基づいてゲーム参加可否情報を取得して表示する。このような場合も、コントローラ６４に記録されたゲーム参加可否情報テーブル６が適切に作成されることにより、複数のプレーヤの各々のテーブルゲームの参加の可否を設定することができる。
【００５６】
ところで、チップケース３１は、カジノテーブル３−ｉで利用されているが、カジノテーブル３−ｉと異なるゲーム設備に利用されてもよい。ゲーム設備としては、マシンゲームが行われるゲームマシンが例示される。ゲームマシンとしては、スロットマシンが例示される。たとえば、ゲームマシンは、カジノテーブル３−ｉと同様にして、凹部２３−ｊと手のひら静脈センサ２５−ｊとコントローラ６４とを備えている。このとき、ゲームマシンは、コントローラ６４と同様にして、手のひら静脈センサ２５−ｊにより検出された手のひら静脈パターンに基づいてゲーム参加可否情報を取得する。ゲームマシンは、その取得されたゲーム参加可否情報が「ゲーム参加不可」を示すときに、プレーヤが操作してもマシンゲームが行われず、その取得されたゲーム参加可否情報が「ゲーム参加可能」を示すときに、プレーヤの操作に応答してマシンゲームが行われる。チップケースは、このようなゲーム設備に利用される場合でも、手のひらを案内することとチップ３７を格納することとに兼用されることにより、ゲーム設備のうちのゲームに利用される領域を狭くさせないことができる。
【００５７】
ところで、既述の手のひら静脈センサ２５−ｊは、手のひら静脈パターンを検出しているが、手のひら静脈パターンと異なる他の生体情報を検出する他の生体認証センサに置換されることができる。その生体情報としては、指静脈パターン、指紋、虹彩が例示される。ガイド部３３は、生体認証センサがプレーヤの指から指静脈パターンまたは指紋を検出するときに、その指を所定の位置に案内する他のガイド部に置換されている。ガイド部３３は、生体認証センサがプレーヤの眼球から虹彩を検出するときに、その眼球を所定の位置に案内する他のガイド部に置換されている。チップケース３１は、このような生体情報が利用された場合でも、手のひらを案内することとチップ３７を格納することとに兼用されることにより、カジノテーブル３−ｉを狭くせずに利用することができ、カジノテーブル３−ｉの清掃を容易にすることができる。
【００５８】
以上、実施例を説明したが、前述した内容により実施例が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、実施例の要旨を逸脱しない範囲で構成要素の種々の省略、置換及び変更のうち少なくとも１つを行うことができる。
【符号の説明】
【００５９】
３−１〜３−ｎ：複数のカジノテーブル
２１    ：テーブル本体
２３−１〜２３−ｍ：複数の凹部
２５−１〜２５−ｍ：複数の手のひら静脈センサ
３１    ：チップケース
３２    ：本体部
３３    ：ガイド部
３４    ：固定式チップ格納部
３５    ：可動式チップ格納部
３６    ：開口部
３７    ：チップ
５１    ：径
５３    ：径
５５    ：長さ
５６    ：距離
６３−１〜６３−ｍ：複数の表示部
７１    ：チップケース
７２    ：窓部
８１    ：チップケース
８２    ：カジノテーブル
８３−ｊ：凹部
【図１】
2019103579.tif 000003
【図２】
2019103579.tif 000004
【図３】
2019103579.tif 000005
【図４】
2019103579.tif 000006
【図５】
2019103579.tif 000007
【図６】
2019103579.tif 000008
【図７】
2019103579.tif 000009
【図８】
2019103579.tif 000010
【図９】
2019103579.tif 000011
【図１０】
2019103579.tif 000012
【図１１】
2019103579.tif 000013
【図１２】
2019103579.tif 000014
【図１３】
2019103579.tif 000015